(57)【要約】【課題】ベースの前部に装着される前面カバーおよび上面カバーのトータル部品コストを低減すると共に、配色効果により前記上面カバーの印象を和らげるようにした空気調和機を提供する。【解決手段】前面カバー４の上面に着脱可能に被着される上面カバー８が、前記前面カバー４の上部に設けられた吸込口２に対応して左右に分割され、隣り合う側部に係止爪を備えたグリルカバー９と、左右に二分割され、前記前面カバー４の他側に設けられた電装品箱の上部に対向して前記前面カバー４に設けられた開口部１１と、一側に設けられた取付部１４に被着されるサービスカバー１２とからなる構成にした。【選択図】　図２
2004101013.tif 000002
【特許請求の範囲】
【請求項１】
所定の固定手段を介して室内の壁面に固定されるベースの前部に、吸込口と吹出口とを上下部に備えた前面カバーが装着され、前記吸込口と前記吹出口とを結ぶ空気通路を構成する前記ベースの一側に、熱交換器と送風ファンとが設けられ、他側に電装品箱が設けられ、前記前面カバーの上面に上面カバーが着脱可能に被着されてなり、
前記上面カバーが、前記吸込口に対応するように左右に分割され、隣り合う側部に係止爪を備えたグリルカバーと、少なくとも前記電装品箱の上部に対向して前記前面カバーに設けられた開口部に対応するサービスカバーとで構成され、前記吸込口の中央部に、前記係止爪を係脱可能に係止する係止部を設けてなることを特徴とする空気調和機。
【請求項２】
前記グリルカバーが、同一の寸法および形状で形成されることにより共通化されてなることを特徴とする請求項１に記載の空気調和機。
【請求項３】
前記サービスカバーが、左右を反転させた相似形状により前面カバーの上面両側部に対応して左右一対に形成されると共に、前記前面カバーの他側上面に設けられた前記開口部と、前記前面カバーの一側上面に設けられた取付部とに夫々被着されるようにしてなることを特徴とする請求項１に記載の空気調和機。
【請求項４】
前記グリルカバーおよび前記サービスカバーが、前記前面カバーと異なる色合いによって成形されてなることを特徴とする請求項１乃至請求項３の何れかに記載の空気調和機。
【発明の詳細な説明】
【０００１】
【発明の属する技術分野】
本発明は、空気調和機に係わり、より詳細には、ベースの前部に装着される前面カバーおよび上面カバーのトータル部品コストを低減すると共に、配色効果により前記上面カバーの印象を和らげるようにした構造に関する。
【０００２】
【従来の技術】
従来の空気調和機には、清掃作業を容易に行なえる吸込グリルを提供するためのものとして、本体ケーシングの前面に形成された吸込口の吸込グリルを本体ケーシングに対して着脱自在に形成すると共に、幅長さが異なる３種類の分割グリルを４つ組み合わせて吸込グリルを構成してなるものがあった（例えば、特許文献１参照。）。
【０００３】
しかしながら、例えば前記吸込グリルが合成樹脂製により金型で成形されるような場合、４分割されたことによって前記分割グリルが小型化される一方、金型の数が増えてしまうためトータルコストは低減できないという問題点を有していた。
【０００４】
また、前記分割グリルは、個別に金型成形された側面ピースを着脱自在に設けることによって配置位置の拡大や共通化をはかることができるようにした構成であることから、別体からなる前記側面ピースを設ける必要が生じてコスト的にも不利になって、組立の作業量も増えてしまうという問題点を有していた。
【０００５】
また、特許文献１には、着脱自在な前記分割グリルの一部取り外すことによって、例えば電装品箱のメンテナンスを行なえるようにしているといった構成上の開示がなく、こうした特有の効果を奏するといった内容を示唆するような記述もない。
【０００６】
【特許文献１】
特開平９−２２９４０６号（要約、段落番号：００２３、図１１乃至図１４）。
【０００７】
または、他の事例として図８（Ａ）乃至図８（Ｃ）で示すように、特願２００１−２８６１６７号で図３（Ａ）乃至図３（Ｃ）に基づく従来技術として開示されているような事例があった。
【０００８】
すなわち、所定の固定手段を介して室内の壁面に固定されるベース２と、後端部が前記ベース２の下端部に係止され前端部側が上方に向けて湾曲するように断面船底状に形成された前面パネル３と、後端部が前記ベース２の上端部に係止され前端部が前記前面パネル３の前端部と突き合わせられる上面パネル４とを含む本体キャビネットを備え、前記ベース２にクロスフローファンおよび電装品箱７が併設されると共に熱交換器８および露受皿が取り付けられ、前記前面パネル４の後端側に吹出口１０が設けられ、前記上面パネル４に吸込口１１が設けられ、前記電装品箱７には、外観上、前記上面パネル４および前記ベース２の各一部を夫々構成するサービスカバー１２が着脱自在に設けられてなるものがあった。
【０００９】
この場合には、図８（Ｃ）で示すａ部のように、前記上面パネル４に対し前記電装品箱７の上面をカバーする前記サービスカバー１２が面一状に装着されずに浮き上がってしまい、外観性を損ねてしまうという問題点を有していた。
【００１０】
また、例えば前記前面パネル３と、前記上面パネル４とを互いに色分けした合成樹脂製の成形品として構成したような場合、大物の金型を複数使用することになって金型費用が増加してしまったり、成形機のチャージレートの増加を招くことになってコスト的に不利になってしまうという問題点を有していた。
【００１１】
【発明が解決しようとする課題】
本発明は、上記問題点に鑑み、ベースの前部に装着される前面カバーおよび上面カバーのトータル部品コストを低減すると共に、配色効果により前記上面カバーの印象を和らげるようにした空気調和機を提供することを目的とする。
【００１２】
【課題を解決するための手段】
本発明は、上記課題を解決するため、所定の固定手段を介して室内の壁面に固定されるベースの前部に、吸込口と吹出口とを上下部に備えた前面カバーが装着され、前記吸込口と前記吹出口とを結ぶ空気通路を構成する前記ベースの一側に、熱交換器と送風ファンとが設けられ、他側に電装品箱が設けられ、前記前面カバーの上面に上面カバーが着脱可能に被着されてなり、
前記上面カバーが、前記吸込口に対応するように左右に分割され、隣り合う側部に係止爪を備えたグリルカバーと、少なくとも前記電装品箱の上部に対向して前記前面カバーに設けられた開口部に対応するサービスカバーとで構成され、前記吸込口の中央部に、前記係止爪を係脱可能に係止する係止部を設けてなる構成となっている。
【００１３】
また、前記グリルカバーが、同一の寸法および形状で形成されることにより共通化されてなる構成となっている。
【００１４】
また、前記サービスカバーが、左右を反転させた相似形状により前面カバーの上面両側部に対応して左右一対に形成されると共に、前記前面カバーの他側上面に設けられた前記開口部と、前記前面カバーの一側上面に設けられた取付部とに夫々被着されるようにしてなる構成となっている。
【００１５】
更に、前記グリルカバーおよび前記サービスカバーが、前記前面カバーと異なる色合いによって成形された構成となっている。
【００１６】
【発明の実施の形態】
以下、本発明の実施の形態を図面に基づいた実施例として詳細に説明する。
図１は本発明による空気調和機の説明図で、（Ａ）は空気調和機本体と据付板とを示す外観斜視図、（Ｂ）は電装品箱の配置を示す分解斜視図、（Ｃ）は断面図であり、図２は本発明による空気調和機の前面カバーと上面カバーとを示す説明図で、（Ａ）は分解正面図、（Ｂ）は組立正面図であり、図３は本発明による空気調和機の要部説明図で、（Ａ）は分解斜視図、（Ｂ）は（Ａ）で示すＣ−Ｃ断面図であり、図４は本発明による空気調和機の要部説明図で、（Ａ）は斜視図、（Ｂ）は（Ａ）で示すＤ−Ｄ断面図、（Ｃ）および（Ｄ）は（Ａ）で示すＥ−Ｅ断面図であり、図５は本発明による空気調和機の要部説明図で、（Ａ）は分解斜視図、（Ｂ）は平面図であり、図６は本発明による空気調和機の要部説明図で、（Ａ）は斜視図、（Ｂ）は（Ａ）で示すＦ−Ｆ断面図、（Ｃ）は（Ａ）で示すＧ−Ｇ断面図であり、図７は本発明による空気調和機の要部説明図で、（Ａ）は斜視図、（Ｂ）は断面図である。
【００１７】
本発明による空気調和機は、図で示すように、所謂シーリングウォール型の本体Ａを構成するベース１の前部に、吸込口２と吹出口３とを上下部に備えた前面カバー４が装着されてなる本体Ａが、室内の壁面に固定された据付板Ｂによって据付けられるようになっている。
【００１８】
前記吸込口２と前記吹出口３とを結ぶ空気通路を構成する前記ベース１の一側には、熱交換器５と送風ファン６とが設けられ、他側には基板７ａを備えた電装品箱７が設けられている。
【００１９】
前記前面カバー４は、合成樹脂製の成形品として色合いを適宜選定した上で形成されるようになっており、同前面カバー４の上面には、同様に、合成樹脂製の成形品として色合いを適宜選定した上で形成される上面カバー８が着脱可能に被着されるようになっている。
【００２０】
前記上面カバー８は、前記吸込口２に対応して室内空気を吸い込めるように形成されたグリルカバー９と、前記電装品箱７の上部に対応して前記上面カバー８に設けられた開口部１１に装着されるサービスカバー１２とで構成されるようになっている。
【００２１】
これにより、前記電装品箱７のメンテナンス時には、前記サービスカバー１２を取り外して前記開口部１１を開放することにより、作業を容易に行なえるようにした構成となる。
【００２２】
なお、左右に分割された前記グリルカバー９は、同一の寸法および形状で形成されることによって共通化されているので、共通の金型で成形できるようになるためコスト的に有利な構成になっている。
このことは、前記グリルカバー９およびその金型をともに小型化できるという点で、コスト的に極めて有利になるという効果を奏することになる。
【００２３】
また、前記サービスカバー１２は、左右を反転させた相似形状により前面カバー４の上面両側部に対応して左右一対に形成され、前記前面カバー４の他側上面に設けられた前記開口部１１と、前記前面カバー４の一側上面に設けられた取付部１４とに夫々被着されるようになっている。
【００２４】
これらにより、本体Ａの上部を左右対象でなる外観構造にして意匠性を向上させると共に、前記上面カバー８を分割することにより前記サービスカバー１２および前記グリルカバー９を小型化し、これらの成形用の金型費用を抑えてコストダウンをはかれるようにした構成となる。
【００２５】
以上の構成により、次にその動作の説明を行なう。
図２（Ａ）および図２（Ｂ）で示すように、前面カバー４の上面に、左右に二分割された前記グリルカバー９と、左右一対の前記サービスカバー１２とが被着される動作について説明する。
【００２６】
図６（Ａ）および図６（Ｂ）と、図７（Ａ）および図７（Ｂ）とで示すように、前記グリルカバー９は、前記吸込口２に対応して被着されるようになっており、前記サービスカバー１２は、前記開口部１１および前記取付部１４に対応して被着されるようになっている。なお、前記吸込口２および前記開口部１１の境界部には、図３（Ａ）および図３（Ｂ）で示すように、前後に延びる桟部１１ａ　が設けられており、この断面コ字状に形成された適宜強度を有した構造でなる桟部１１ａ　で前記サービスカバー１２を受けることができるようになっており、前記取付部１４は前記吸込口２の一部に設けられている。
【００２７】
また、前記グリルカバー９および前記サービスカバー１２が、図３（Ａ）で示された分解斜視図の状態から図４（Ａ）で示された状態に被着される際、図４（Ｂ）乃至図４（Ｄ）で示すように、前記グリルカバー９に設けられた係止部９ａと、これに対応して前記サービスカバー１２に設けられた係止リブ１２ａ　とが係脱可能に係止され、前記前面カバー４に設けられた係止部４ａと、これに対応して前記サービスカバー１２に設けられた係止リブ１２ｂ　とが係脱可能に係止されるようになっている。
【００２８】
また同様に、図４（Ｃ）および図４（Ｄ）で示すように、前記前面カバー４に設けられた係止部４ｂおよび４ｃと、これに対応して前記サービスカバー１２に設けられた係止リブ１２ｃ　および係止爪１２ｄ　とが係脱可能に係止されるようになっている。
【００２９】
また、図５（Ａ）と、図６（Ａ）乃至図６（Ｃ）とで示すように、前記サービスカバー１２を前記開口部１１に被着した際、前記係止リブ１２ａ　の一部が前記前面カバー４に設けられた係止部４ｄに係止すると共に、前記桟部１１ａ　に設けられたねじ部１１ｂ　に前記サービスカバー１２に設けられた取付部１２ｅ　を接合して取り付けるようにし、前記グリルカバー９を前記前面カバー４に突設された突出部４ｅに係合して取り付けるようにしている。
【００３０】
その際、図５（Ｂ）で示すように、前記桟部１１ａ　の前記吸込口２側の縁部に、取り付けを容易にするため、前方を拡開させた傾斜角Ｃを設けている。
【００３１】
これらにより、左右に二分割されたことにより成形用の金型を小型化してコストダウンをはかれるようにした前記グリルカバー９および前記サービスカバー１２を、前記前面カバー４の上面部に正確に被着できるようになる。
【００３２】
また、前記グリルカバー９および前記サービスカバー１２を、例えば前記前面カバー４よりも濃い色合いでなる構成にして、シーリングウォール型の空気調和機本体Ａの特徴になっている上部の印象を和らげることできる。
【００３３】
【発明の効果】
以上説明したように、本発明によると、ベースの前部に装着される前面カバーおよび上面カバーのトータル部品コストを低減すると共に、配色効果により前記上面カバーの印象を和らげるようにした空気調和機となる。
【図面の簡単な説明】
【図１】本発明による空気調和機の説明図で、（Ａ）は空気調和機本体と据付板とを示す外観斜視図であり、（Ｂ）は電装品箱の配置を示す分解斜視図であり、（Ｃ）は断面図である。
【図２】本発明による空気調和機の前面カバーと上面カバーとを示す説明図で、（Ａ）は分解正面図であり、（Ｂ）は組立正面図である。
【図３】本発明による空気調和機の要部説明図で、（Ａ）は分解斜視図であり、（Ｂ）は（Ａ）で示すＣ−Ｃ断面図である。
【図４】本発明による空気調和機の要部説明図で、（Ａ）は斜視図、（Ｂ）は（Ａ）で示すＤ−Ｄ断面図であり、（Ｃ）および（Ｄ）は（Ａ）で示すＥ−Ｅ断面図である。
【図５】本発明による空気調和機の要部説明図で、（Ａ）は分解斜視図であり、（Ｂ）は平面図である。
【図６】本発明による空気調和機の要部説明図で、（Ａ）は斜視図であり、（Ｂ）は（Ａ）で示すＦ−Ｆ断面図であり、（Ｃ）は（Ａ）で示すＧ−Ｇ断面図である。
【図７】本発明による空気調和機の要部説明図で、（Ａ）は斜視図であり、（Ｂ）は断面図である。
【図８】従来例による空気調和機の説明図で、（Ａ）は分解斜視図であり、（Ｂ）は要部分解斜視図であり、（Ｃ）は要部正面図である。
【符号の説明】
Ａ　空気調和機本体
Ｂ　据付板
Ｃ　傾斜角
１　ベース
２　吸込口
３　吹出口
４　前面カバー
４ａ，４ｂ，４ｃ，４ｄ　係止部
４ｅ　突出部
５　熱交換器
６　送風ファン
７　電装品箱
７ａ　基板
８　上面カバー
９　グリルカバー
９ａ　係止部
１０　係止爪
１１　開口部
１１ａ　桟部
１１ｂ　ねじ部
１２　サービスカバー
１２ａ　，１２ｂ　，１２ｃ　係止リブ
１２ｄ　係止爪
１２ｅ　取付部
１３　係止部
１４　取付部
１５　取付部
【図１】
2004101013.tif 000003
【図２】
2004101013.tif 000004
【図３】
2004101013.tif 000005
【図４】
2004101013.tif 000006
【図５】
2004101013.tif 000007
【図６】
2004101013.tif 000008
【図７】
2004101013.tif 000009
【図８】
2004101013.tif 000010